(57)【要約】      （修正有）【課題】本発明は、軽量化を図りつつ、操作カバーのスムーズな回動を確実に確保できる魚釣用スピニングリールを提供する。【解決手段】魚釣用スピニングリール３０１は、ボディ前部３１２を有するリール本体３１０と、ボディ前部３１２に収容されてロータの逆回転を防止する逆転防止装置と、切換操作部３５５を有し、ボディ前部３１２に回動自在に支持される操作カバー３５０と、を備え、ボディ前部３１２には、操作カバー３５０を摺動自在に支持する支持部３１９が設けられ、支持部３１９は、操作カバー３５０に当接する複数の当接部３２１〜３２５，３３１〜３３３を有し、各当接部３２１〜３２５，３３１〜３３３は、周方向に配置された他の当接部３２１〜３２５，３３１〜３３３と周方向に離間することを特徴とする。【選択図】図４
2019122321.tif 000002
【特許請求の範囲】
【請求項１】
ボディ前部を有するリール本体と、
前記ボディ前部に装着されてロータの逆回転を防止する逆転防止装置と、
切換操作部を有し、前記ボディ前部に回動自在に支持される操作カバーと、
を備え、
前記ボディ前部には、前記操作カバーを摺動自在に支持する支持部が設けられ、
前記支持部は、前記操作カバーに当接する複数の当接部を有し、
前記各当接部は、周方向に配置された他の当接部と周方向に離間することを特徴とする魚釣用スピニングリール。
【請求項２】
前記複数の当接部は、
前記操作カバーの前側に当接する複数の前側当接部と、
前記操作カバーの後側に当接する複数の後側当接部と、
を備え、
前記複数の前側当接部と複数の後側当接部とは、前後方向に離間していることを特徴とする請求項１に記載の魚釣用スピニングリール。
【請求項３】
前記複数の前側当接部と複数の後側当接部とは、周方向にずれていることを特徴とする請求項２に記載の魚釣用スピニングリール。
【請求項４】
前記複数の前側当接部は、複数の後側当接部よりも外径が小径に形成されていることを特徴とする請求項２又は請求項３に記載の魚釣用スピニングリール。
【発明の詳細な説明】
【技術分野】
【０００１】
本発明は、魚釣用スピニングリールに関する。
【背景技術】
【０００２】
魚釣用スピニングリールにおいて、切換操作部を操作すると逆転防止装置が作動し、ロータの逆回転が抑制される。
従来、切換操作部から逆転防止装置に駆動力を伝達するための部品として、切換カムが利用されてきたが、近年、小型化及び軽量化を図るため、リール本体のボディ前部の周囲を囲むカバー（以下、操作カバーと称する）が利用されている。
また、下記特許文献１に示すようにボディ前部による操作カバーの支持構造は、ボディ前部の外周面が操作カバーの内周面を摺動自在に支持することで、操作カバーが回動自在となっている。
【先行技術文献】
【特許文献】
【０００３】
【特許文献１】特開２０１８−６７号公報
【発明の概要】
【発明が解決しようとする課題】
【０００４】
ここで、従来のボディ前部は、略円筒状を呈し重量が大きいため、軽量化が望まれている。また、従来のボディ前部による操作カバーの支持構造は、当接面積（摺動面積）が大きいため、切換操作部の操作時に操作カバーがボディ前部に引っ掛かるおそれがあり、操作カバーのスムーズな回動を確実に確保したいという要望がある。
【０００５】
本発明は、このような課題を解決するために創作されたものであり、軽量化を図りつつ、操作カバーのスムーズな回動を確実に確保できる魚釣用スピニングリールを提供することを課題とする。
【課題を解決するための手段】
【０００６】
前記課題を解決するため、本発明の魚釣用スピニングリールは、ボディ前部を有するリール本体と、前記ボディ前部に装着されてロータの逆回転を防止する逆転防止装置と、切換操作部を有し、前記ボディ前部に回動自在に支持される操作カバーと、を備え、前記ボディ前部には、前記操作カバーを摺動自在に支持する支持部が設けられ、前記支持部は、前記操作カバーに当接する複数の当接部を有し、前記各当接部は、周方向に配置された他の当接部と周方向に離間することを特徴とする。
【０００７】
前記発明によれば、各当接部の間が操作カバーと当接しないため、操作カバーと当接する当接面積（摺動面積）が低減している。よって、軽く回動操作できるとともに切換操作部の操作時に操作カバーがボディ前部に引っ掛かる可能性が低減し、操作カバーのスムーズな回動を確実に確保できる。また、前記発明によれば、ボディ前部の外周面全周に亘って延在する当接部を形成した場合よりも軽量化を図れる。
さらに、複数の当接部の間にスペースが形成されるため、そのスペースに他の部品を配置することができ、魚釣用スピニングリールの小型化に寄与できる。
【０００８】
また、前記発明において、前記複数の当接部は、前記操作カバーの前側に当接する複数の前側当接部と、前記操作カバーの後側に当接する複数の後側当接部と、を備え、前記複数の前側当接部と複数の後側当接部とは、前後方向に離間することが好ましい。
【０００９】
前記構成によれば、複数の前側当接部と複数の後側当接部との間が操作カバーと当接しないため、操作カバーと当接する当接面積（摺動面積）が低減している。よって、ボディ前部が軽量化されるとともに、切換操作部の操作時に操作カバーがボディ前部に引っ掛かる可能性がさらに低減し、操作カバーの回動がよりスムーズとなる。
【００１０】
また、前記発明において、前記複数の前側当接部と複数の後側当接部とは、周方向にずれていることが好ましい。
【００１１】
前記構成によれば、支持部による操作カバーの前側及び後側の周方向の支持状態が安定し、操作カバーの回動がよりスムーズとなる。
【００１２】
また、前記発明において、前記複数の前側当接部は、複数の後側当接部よりも外径が小径に形成されていることが好ましい。
【００１３】
前記構成によれば、ボディ前部に操作カバーを組み付ける際に、複数の前側当接部が操作カバー内に引っ掛かり難く、組み付け性が良い。
【発明の効果】
【００１４】
以上から、本発明によれば、軽量化を図りつつ、操作カバーのスムーズな回動を確実に確保できる魚釣用スピニングリールを提供することができる。
【図面の簡単な説明】
【００１５】
【図１】実施形態に係る魚釣用スピニングリールにおいて、ボディ前部に組みつけられた部品を分解した状態を示す斜視図である。
【図２】中心軸Ｏ１を含む水平面でボディ前部近傍を切り、その断面を上方から視た断面図である。
【図３】ボディ前部を図２に示すＩＩＩ−ＩＩＩ線で切り、その断面を矢印方向から視た断面図である。
【図４】ボディ前部を図２に示すＩＶ−ＩＶ線で切り、その断面を矢印方向から視た断面図であり、磁性流体シール機構においては内側磁性板のみを図示している。
【図５】（ａ）は魚釣用スピニングリールから操作カバーのみを抽出し、操作カバーを後方から視た背面図であり、（ｂ）は図５（ａ）に示すＶＢ−ＶＢ線で切り、その矢印方向から視た断面図である。
【発明を実施するための形態】
【００１６】
つぎに、魚釣用スピニングリールの実施形態について、図面を参照して説明する。以下の説明において、「前後」「上下」「左右」を言うときは、図１に示した方向を基準とする。
【００１７】
図１に示すように、魚釣用スピニングリール３０１は、駆動軸筒３０７及びスプール軸３０８を支持するリール本体３０２と、スプール軸３０８に装着されて釣り糸が巻回されるスプール（不図示）と、駆動軸筒３０７に装着されてスプールに釣り糸を巻回するロータ（不図示）と、を備える。
【００１８】
リール本体３０２は、内部に駆動装置を収容するボディ３１０と、ボディ３１０の上部から上方に延びて先端が釣竿に装着される脚部３１１と、ボディ３１０の前側で前後方向に開口する筒状のボディ前部３１２と、を備える。なお、ボディ３１０と脚部３１１とボディ前部３１２とは、金属材料により一体に形成されて高い強度を備える。
【００１９】
ボディ前部３１２は、駆動軸筒３０７の中心軸Ｏ１を中心とする略円筒状に形成されている。ボディ前部３１２の外形は、前部の方が後部よりも小径に形成されている。以下、ボディ前部３１２の後部を大径部３１６と称し、前部を小径部３１７と称する。
【００２０】
ボディ前部３１２（大径部３１６，小径部３１７）には、逆転防止装置３４０、操作カバー３５０、切換保持部３６０、磁性流体シール機構３７０、規制体３８０，後シール部材３９１、及び前シール部材３９２が組み付けられている。
以下、ボディ前部３１２（大径部３１６，小径部３１７）と各部品との詳細について説明する。
【００２１】
図２に示すように、大径部３１６の外周面には、径方向外側に張り出すフランジ３１６ａと、周方向に亘って窪む周溝３１６ｂと、ねじ３１６ｄが螺合する雌ねじ孔３１６ｃと、が形成されている。
フランジ３１６ａは、大径部３１６の後端に位置している。フランジ３１６ａの外形は、円形状を呈し、操作カバー３５０の後記する切換移動体３５１の内形に対応した形状となっている。このため、切換移動体３５１の後側開口は、フランジ３１６ａにより閉塞され、操作カバー３５０内に海水等が侵入し難い。
周溝３１６ｂは、後シール部材３９１をボディ前部３１２に組み付けるための溝である。雌ねじ孔３１６ｃは１８０°間隔で２つ形成されている。また、雌ねじ孔３１６ｃに螺合するねじ３１６ｄは、操作カバー３５０がボディ前部３１２から脱落することを防止するためのものである。
【００２２】
大径部３１６の内周側には、駆動軸筒３０７を回転自在に支持するための中間軸受３１２ａが嵌め込まれている。
また、中間軸受３１２ａの前側には、止め輪３１８が配置されている。
止め輪３１８は、中間軸受３１２ａの外輪に当接し、中間軸受３１２ａが大径部３１６から脱落しないように規制するリング状の部品である。
図３に示すように、止め輪３１８には径方向外側に突出する２つのフランジ３１８ａが形成されている。そして、そのフランジ３１８ａがねじ３１８ｂに締め付けられることで止め輪３１８が小径部３１７内に固定されている。
【００２３】
小径部３１７の内径は、内部に逆転防止装置３４０が収容可能な大きさに形成されている。また、図１に示すように、小径部３１７の前端面３１７ｅには、磁性流体シール機構３７０を固定するためのねじ（不図示）が螺合する固定部３１７ｆが２つ形成され、ボディ前部３１２の前側開口を閉塞するように磁性流体シール機構３７０が組み付けられている。
【００２４】
小径部３１７には、前端から後方に向って切り欠かれ、小径部３１７の内周側と外周側とを連通させる４つの切り欠き（第１切り欠き３１７ａ〜第４切り欠き３１７ｄ）が形成されている。
【００２５】
図３に示すように、第１切り欠き３１７ａ，第２切り欠き３１７ｂは、止め輪３１８のフランジ３１８ａを通過させてフランジ３１８ａを底部に配置するためのものである。
第１切り欠き３１７ａは、中心軸Ｏ１を基準として右上側に設けられ、第２切り欠き３１７ｂは、中心軸Ｏ１を基準として左下側に設けられている。
第３切欠き３１７ｃは、逆転防止装置３４０の後述する突出部３４５を配置するためのものであり、中心軸Ｏ１を基準として右下側に設けられている。
図４に示すように、第４切り欠き３１７ｄは、磁性流体シール機構３７０の後述する係止部３７９（図１参照）を配置するためのものであり、中心軸Ｏ１を基準として左上側に設けられている。
なお、第４切り欠き３１７ｄは、小径部３１７の前端面３１７ｅから後方への切り欠き量が他の第１切り欠き３１７ａ〜第３切り欠き３１７ｃよりも少ない。このため、第４切り欠き３１７ｄは図３に現れていない。
【００２６】
図２に示すように、小径部３１７には、操作カバー３５０を摺動自在に支持する支持部３１９が設けられている。なお、支持部３１９の詳細については後述する。
【００２７】
逆転防止装置３４０は、駆動軸筒３０７の正転を許容しつつ、駆動軸筒３０７の逆転を防止するローラ式一方向クラッチであり、公知の装置である。なお、逆転防止装置３４０の内周側には、駆動軸筒３０７の外周側に嵌合することで駆動軸筒３０７に回り止めされた内輪３４１が設けられている。よって、逆転防止装置３４０は、内輪３４１を介して駆動軸筒３０７の回転を制御している。
【００２８】
逆転防止装置３４０は、略円筒状の外輪３４２と、内輪３４１と外輪３４２との間に配置された複数のローラ３４３と、複数のローラ３４３を保持するリティナ（切換制御部材）３４４と、を備える。
リティナ３４４には、外輪３４２を貫通して径方向外側に突出する突出部３４５が形成されている（図１参照）。なお、突出部３４５は、第３切り欠き３１７ｃ内に配置される（図３の破線参照）。
突出部３４５が周方向へ移動すると、リティナ３４４が回動し、ローラ３４３が内輪３４１と外輪３４２との間で楔作用を発揮して内輪３４１（駆動軸筒３０７）の逆転が防止されたり、又はローラ３４３が内輪３４１と外輪３４２との間で楔作用を発揮せずに内輪３４１（駆動軸筒３０７）の逆転が許可されたりする。
【００２９】
操作カバー３５０は、ボディ前部３１２（大径部３１６，小径部３１７）の外周側に配置された筒状部材である。
図５（ａ），（ｂ）に示すように、操作カバー３５０は、有底筒状の切換移動体３５１と、切換移動体３５１の内側に設けられた係合部３５４と、切換移動体３５１の後端に設けられた切換操作部３５５と、を備えている。
なお、切換操作部３５５は、特に図示しないが、リール本体３０２の側部に配置されて釣り人の手指により押圧可能（操作可能）になっている。
【００３０】
切換移動体３５１は、中心軸Ｏ１を中心とする円筒状の円筒部３５２と、円筒部３５２の前端から径方向内側に延出するリング状の前壁部３５３と、を備える。
図２に示すように、切換移動体３５１は、ボディ前部３１２（大径部３１６，小径部３１７）の外周側を囲んでおり、逆転防止装置３４０内に海水や砂塵等が侵入し難い。よって、逆転防止装置３４０の塩ガミ等が抑制され、長期に亘って逆転防止装置３４０の性能が維持される。
【００３１】
図５（ａ）に示すように、円筒部３５２の内径はｒ１に形成されている。なお、円筒部３５２の内周面３５２ｂには、後述する第１後側当接部３２１〜第５後側当接部３２５（図３参照）が当接している。
円筒部３５２の後部には、貫通孔３５２ａが２つ１８０度間隔で形成されている（図５（ａ）を参照）。各貫通孔３５２ａ内には、大径部３１６に螺合しているねじ３１６ｄが配置され、操作カバー３５０がボディ前部３１２から脱落しないようになっている（図２参照）。
【００３２】
前壁部３５３の中央孔３５３ａは、駆動軸筒３０７及びスプール軸３０８を貫通させるための孔である。
前壁部３５３の後面（底面）３５３ｂには、後方に突出するガイド壁３５３ｃが３つ形成されている。
３つのガイド壁３５３ｃの内径はｒ２に形成されている。また、３つのガイド壁３５３ｃは、中心軸Ｏ１方向から視て後述する第１前側当接部３３１〜第３前側当接部３３３と重なるように形成されている。
【００３３】
係合部３５４は、四角柱状に形成され、円筒部３５２の内周面と前壁部３５３の後面３５３ｂと連続している。また、係合部３５４の後端面には、後方に延びる略円柱状の突起３５４ａが形成されている。
図３に示すように、係合部３５４は、第３切欠き３１７ｃ内に配置されている。
そして、係合部３５４の突起３５４ａ（図５（ａ），（ｂ）参照）が突出部３４５の円孔３４６（図１参照）に挿入し、操作カバー３５０とリティナ３４４とが周方向に係合している。そして、釣り人が切換操作部３５５を押圧し切換移動体３５１を回動させると、逆転防止装置３４０の逆転防止状態と逆転許可状態とが切り換わる。
【００３４】
図２に示すように、切換保持部３６０は、リール本体３０２の小径部３１７側に配置された移動体３６２と、操作カバー３５０の前壁部３５３の後面（底面）３５３ｂに配置された係合保持部３６３と、を備える。
【００３５】
移動体３６２は、前後方向に延在する円柱状の部品であり、前端３６２ａが円錐状に形成されている。移動体３６２は、小径部３１７の前端面３１７ｅから後方に向って貫通する移動体収容孔３１７ｇ内に収容されている。また、移動体収容孔３１７ｇ内には、コイルばね３６４が収容されている。コイルばね３６４は圧縮された状態で組み込まれ、移動体３６２が常時前方へ付勢されている。
【００３６】
図５（ａ）に示すように、係合保持部３６３は、前壁部３５３の後面３５３ｂに沿って上下方向に延在する板状部材の金属部品であり、移動体３６２と対向するように配置されている。係合保持部３６３は、上下方向中央部に凸状部３６３ｃが形成されている。
よって、逆転防止装置３４０が逆転許可状態から逆転防止状態（又は逆転防止装置３４０が逆転防止状態から逆転許可状態）に切り換わろうとすると、凸状部３６３ｃに移動体３６２の前端３６２ａが係止し、切換移動体３５１の回動が規制される。
以上から、凸状部３６３ｃが移動体３６２を後方に押圧して凸状部３６３ｃが移動体３６２の前端３６２ａを乗り越える程度の力を加えない限り、逆転防止装置３４０の逆転許可状態又は逆転防止状態が保持される。
【００３７】
図２に示すように、磁性流体シール機構３７０は、環状の永久磁石３７１と、永久磁石３７１の前側（外側）に配置された環状の外側磁性板３７２と、永久磁石３７１の後側（内側）に配置された環状の内側磁性板３７３と、内輪３４１と一体に形成された磁性部３４１ａと、を備える。また、外側磁性板３７２及び内側磁性板３７３と、磁性部３４１ａとの間には磁性流体（不図示）が充填されている。
【００３８】
永久磁石３７１は、前面側がＮ極、後面側がＳ極となっており、永久磁石３７１の前面から後面に向って、内周側の磁気回路（図２の矢印Ａを参照）と、外周側の磁気回路（図２の矢印Ｂを参照）が形成されている。そして、磁性流体は、内周側の磁気回路（図２の矢印Ａ）上に配置され流出し難く、長期間シール機能を発揮する。
【００３９】
図１に示すように、内側磁性板３７３には、径方向外側に突出する２つのフランジ３７８と、外周端から後方に延在する３つの係止部３７９と、が形成されている。
フランジ３７８は、ボディ前部３１２の固定部３１７ｆに螺合するねじ（不図示）に締め付けられ、内側磁性板３７３がボディ前部３１２の前側に固定される。
【００４０】
３つの係止部３７９は、互いに周方向に離間しつつ、後方に延出して規制体３８０を保持するためのものである。なお、特に図示しないが、係止部３７９は、小径部３１７の第１切り欠き３１７ａ，第３切り欠き３１７ｃ，第４切欠き３１７ｄ内に配置され、小径部３１７と干渉しないようになっている。
【００４１】
図２に示すように、規制体３８０は、非磁性材料により形成された環状かつ薄板状の部品である。規制体３８０は、内側磁性板３７３と逆転防止装置（一方向クラッチ）３４０との間に配置され、逆転防止装置３４０が前後方向（中心軸Ｏ１方向）に移動しないように規制している。この規制体３８０によれば、逆転防止装置３４０のローラ３４３と内輪３４１との摺接状態が安定化する。この結果、駆動軸筒３０７の回転が安定化するとともに、ローラ３４３の楔作用も安定して発揮される。
【００４２】
後シール部材３９１及び前シール部材３９２は、環状を呈し、弾性材により形成された弾性シール部材である。後シール部材３９１及び前シール部材３９２のそれぞれには、径方向に突出するリップ部３９１ａ，３９２ａが形成されている。
【００４３】
後シール部材３９１は、大径部３１６の周溝３１６ｂに嵌め込まれており、小径部３１７に形成された第１切り欠き３１７ａ〜第４切り欠き３１７ｄよりも後方に位置している。後シール部材３９１のリップ部３９１ａは、操作カバー３５０の円筒部３５２の内周面３５２ｂを径方向外側に押圧した状態で当接している。また、リップ部３９１ａは、円筒部３５２の貫通孔３５２ａよりも前側に当接している。
以上から、円筒部３５２の後部開口や貫通孔３５２ａを介して円筒部３５２内に侵入した海水等が第１切り欠き３１７ａ〜第４切り欠き３１７ｄを介して、小径部３１７内の逆転防止装置３４０に付着しないようになっている。
【００４４】
前シール部材３９２は、磁性流体シール機構３７０の永久磁石３７１の外周面に嵌め込まれている。前シール部材３９２のリップ部３９２ａは、操作カバー３５０の前壁部３５３の中央孔３５３ａの内周面に径方向外側に押圧した状態で当接している。このため、海水等が中央孔３５３ａを介して操作カバー３５０内に侵入しないようになっている。
【００４５】
つぎに、小径部３１７に形成された支持部３１９について説明する。
図２に示すように、支持部３１９は、操作カバー３５０の後側を摺動自在に支持する後側支持部３２０と、操作カバー３５０の前側を摺動自在に支持する前側支持部３３０と、を備える。
【００４６】
図３に示すように、後側支持部３２０は、小径部３１７の外周面から径方向外側に突出する５つの第１後側当接部３２１〜第５後側当接部３２５を備える。なお、第１後側当接部３２１〜第５後側当接部３２５は、小径部３１７の外周面に対し周方向に配列している。
【００４７】
第１後側当接部３２１は、中心軸Ｏ１を基準として上側に位置し、周方向に延在し円弧状（周方向に幅広）に形成されている。
第２後側当接部３２２は、中心軸Ｏ１を基準として左側に位置し、周方向に延在し円弧状（周方向に幅広）に形成されている。
第３後側当接部３２３は、中心軸Ｏ１を基準として右上側に位置し、周方向に幅狭に形成されている。
第４後側当接部３２４は、中心軸Ｏ１を基準として右側に位置し、周方向に幅狭に形成されている。
第５後側当接部３２５は、中心軸Ｏ１を基準として右下側に位置し、周方向に幅狭に形成されている。
【００４８】
第１後側当接部３２１〜第５後側当接部３２５の外径は、操作カバー３５０の円筒部３５２の内径ｒ１（図５（ａ）参照）と同一に形成されている。このため、第１後側当接部３２１〜第５後側当接部３２５のそれぞれの外周面３２１ａ〜３２５ａは、操作カバー３５０の円筒部３５２の内周面３５２ｂに当接し、操作カバー３５０が周方向に摺動可能に支持されている。
【００４９】
なお、第１後側当接部３２１と第４後側当接部３２４と第５後側当接部３２５は、前後方向（中心軸Ｏ１方向）の厚みが薄く形成されており、操作カバー３５０の内周面３５２ｂの前側には当接しないようになっている。
また、第２後側当接部３２２（図２参照）と第３後側当接部３２３（図２において不図示）とは、前後方向（中心軸Ｏ１方向）に比較的長く形成されているものの、第２後側当接部３２２と第３後側当接部３２３の外径が前側に向うにつれて縮径している。
このため、第２後側当接部３２２の外周面３２２ａと第３後側当接部３２３の外周面３２３ａは、後側のみが操作カバー３５０の内周面３５２ｂに当接するようになっている。
【００５０】
第１後側当接部３２１〜第５後側当接部３２５のそれぞれは、周方向に配置された他の後側当接部（第１後側当接部３２１〜第５後側当接部３２５）と周方向に離間しており、周方向に連続していない。つまり、後側支持部３２０は、操作カバー３５０の内周面３５２ｂ全周に当接していない。
このため、円筒部３５２の内周面３５２ｂとの当接面積（摺動面積）が低減し、操作カバー３５０の回動がスムーズとなる。また、後側支持部３２０は、周方向に分断した第１後側当接部３２１〜第５後側当接部３２５となっているため、周方向に連続した環状の当接部を形成した場合よりも軽量化している。
【００５１】
図３に示すように、第１後側当接部３２１〜第５後側当接部３２５の間にスペースが形成されている。そして、第４後側当接部３２４と第５後側当接部３２５との間のスペースに、逆転防止装置３４０の突出部３４５と操作カバー３５０の係合部３５４とが配置されている。
つまり、第１後側当接部３２１〜第５後側当接部３２５を周方向に離間させることで、突出部３４５及び係合部３５４を配置するスペースを確保でき、魚釣用スピニングリール３０１の小型化に寄与している。
【００５２】
図４に示すように、前側支持部３３０は、小径部３１７の外周面を径方向内側に窪ませて成る３つの第１前側当接部３３１〜第３前側当接部３３３を備える。
第１前側当接部３３１〜第３前側当接部３３３は、小径部３１７の前端部に位置し、周方向に配列している。
また、第１前側当接部３３１〜第３前側当接部３３３は、後側支持部３２０よりも外径が小径に形成されている。よって、ボディ前部３１２に操作カバー３５０を組み付ける際に、第１前側当接部３３１〜第３前側当接部３３３が操作カバー３５０の内周面３５２ｂに引っ掛かるおそれがなく、組み付け易い。
【００５３】
第１前側当接部３３１は、中心軸Ｏ１を基準として左上側に位置している。
第２前側当接部３３２は、中心軸Ｏ１を基準として下側に位置している。
第３前側当接部３３３は、中心軸Ｏ１を基準として右側に位置している。
【００５４】
第１前側当接部３３１〜第３前側当接部３３３の外径は、操作カバー３５０のガイド壁３５３ｃの内径ｒ２（図５（ａ）参照）と同一に形成されている。
このため、第１前側当接部３３１〜第３前側当接部３３３のそれぞれの外周面３３１ａ〜３３３ａは、操作カバー３５０のガイド壁３５３ｃの内周面３５３ｄに当接し、操作カバー３５０が周方向に摺動可能に支持されている。
【００５５】
第１前側当接部３３１〜第３前側当接部３３３のそれぞれは、周方向に配置された他の当接部（第１前側当接部３３１〜第３前側当接部３３３）と周方向に離間している。
つまり、前側支持部３３０は、操作カバー３５０の内周側の全周に当接するように構成されていない。このため、操作カバー３５０との当接面積（摺動面積）が低減し、操作カバー３５０の回動がスムーズとなる。
また、第１前側当接部３３１〜第３前側当接部３３３のそれぞれが周方向に離間していることから、これに当接する３つのガイド壁３５３ｃも周方向に離間している。このため、操作カバー３５０は、周方向に連続した環状のガイド壁を形成した場合よりも軽量化している。
【００５６】
図２に示すように、前側支持部３３０（第１前側当接部３３１〜第３前側当接部３３３）と、後側支持部３２０（第１後側当接部３２１〜第５後側当接部３２５）とが前後方向に離間している。つまり、支持部３１９は、前側支持部３３０と後側支持部３２０との間で、操作カバー３５０を摺動自在に支持していない。このため、操作カバー３５０との当接面積（摺動面積）がさらに低減し、操作カバー３５０の回動がスムーズとなっている。
【００５７】
図４に示すように、前側支持部３３０（第１前側当接部３３１〜第３前側当接部３３３）と、後側支持部３２０（第１後側当接部３２１〜第５後側当接部３２５）とは、互いに周方向にずれた位置に配置されている。
つまり、第１前側当接部３３１〜第３前側当接部３３３と、第１後側当接部３２１〜第５後側当接部３２５とのそれぞれがバランス良く配置されている。よって、操作カバー３５０が傾き難く、操作カバー３５０の姿勢が安定し回動もスムーズとなる。
【００５８】
以上、実施形態の魚釣用スピニングリール３０１について説明したが、本発明はこれに限定されない。
支持部３１９は、後側支持部３２０と前側支持部３３０とを備えているが、他の支持部を備えたり、若しくは、後側支持部３２０の外周面を軸方向に長くして前側支持部３３０を備えないようにしたりしてもよい。また、支持部３１９のうち後側支持部３２０を小径部３１７でなく大径部３１６に形成してもよい。
または、第１前側当接部３３１〜第３前側当接部３３３と、第１後側当接部３２１〜第５後側当接部３３５とが周方向に重なり合うようにしてもよい。
【符号の説明】
【００５９】
３０１  魚釣用スピニングリール
３０２  リール本体
３０７  駆動軸筒
３０８  スプール軸
３１０  ボディ
３１１  脚部
３１２  ボディ前部
３１６  大径部
３１７  小径部
３１９  支持部
３２０  後側支持部
３２１〜３２５  第１後側当接部〜第５後側当接部（当接部）
３３０  前側支持部
３３１〜３３３  第１前側当接部〜第３前側当接部（当接部）
３４０  逆転防止装置
３５０  操作カバー
３５１  切換移動体
３５２  円筒部
３５２ｂ  内周面
３５３ｃ  ガイド壁
３５３ｄ  内周面
３５４  係合部
３５５  切換操作部
３６０  切換保持部
３６２  移動体
３６３  係合保持部
３７０  磁性流体シール機構
３８０  規制体
３９１  後シール部材
３９２  前シール部材
【図１】
2019122321.tif 000003
【図２】
2019122321.tif 000004
【図３】
2019122321.tif 000005
【図４】
2019122321.tif 000006
【図５】
2019122321.tif 000007